(57)【要約】【課題】通信端末装置によるファクシミリ通信では、通話目的か、ファクシミリ通信目的かの識別方法として、一般的に、送信側ではＣＮＧ信号を送信し、受信側ではＣＮＧ信号を受信することで、ファクシミリ通信であることを判断していが、ＣＮＧ信号の検出が速やかに行われない場合があった。【解決手段】着信時に発呼側に送信され、擬似リングバックトーンを生成する擬似ＲＢＴ生成部１９と、着信時に鳴動させる擬似リングを生成する擬似リング生成部１６と、擬似ＲＢＴ生成部１９及び擬似リング生成部１６を制御する主制御部２とを備え、国毎のリングバックトーンの周期的に繰り返されるＯＮ／ＯＦＦ時間情報を有し、装置本体が設置された国のリングバックトーンのＯＦＦ時間が所定のＯＦＦ時間未満である場合には、擬似リングバックトーンのＯＦＦ時間を所定のＯＦＦ時間に設定して送信する。【選択図】図１
2010093618.tif 000002
【特許請求の範囲】
【請求項１】
１本の電話回線に接続され、装置本体に電話機の接続を可能として前記電話機による通話とファクシミリ通信を選択的に切り換える通信端末装置において、
着信のときに発呼側に送信され、周期的に繰り返される擬似リングバックトーンを生成する擬似リングバックトーン生成手段と、
着信のときに鳴動させる擬似リングを生成する擬似リング生成手段と、
ファクシミリ通信であることを示すＣＮＧ信号を検出するトーン検出手段と、
少なくとも前記擬似リングバックトーン生成手段及び前記擬似リング生成手段の動作を制御する制御手段と
を有し、
国毎のリングバックトーンの周期情報を有し、装置本体が設置される国の前記リングバックトーンの周期が所定の条件である場合には、前記擬似リングバックトーンの周期を所定の周期に設定して送信する
ことを特徴とする通信端末装置。
【請求項２】
前記擬似リングバックトーンと前記リングバックトーンはＯＮとＯＦＦが周期的に繰り返される信号であって、前記擬似リングバックトーンの周期を設定するとき、設定後の信号のＯＮ時間が、前記設置する国の前記リングバックトーンのＯＮ時間とされることを特徴とする請求項１記載の通信端末装置。
【請求項３】
前記擬似リングバックトーンの周期を設定するとき、設定後のＯＦＦ時間が３．５秒であることを特徴とする請求項２記載の通信端末装置。
【請求項４】
前記電話回線を、ファクシミリ通信優先で使用するか、電話機による通話優先で使用するかを選択設定する選択手段を有し、
前記ファクシミリ通信優先が選択設定されている場合には、所定の時間、前記擬似リングを鳴動させないことを特徴とする請求項１乃至３の何れか１に記載の通信端末装置。
【請求項５】
電話機のフックアップ検出手段を備え、
所定期間、ＣＮＧ信号の検出、及び電話機のフックアップ検出が確認されない場合にはファクシミリ通信を実行することを特徴とする請求項１乃至４の何れか１に記載の通信端末装置。
【発明の詳細な説明】
【技術分野】
【０００１】
本発明は、電話機接続が可能で、アナログ公衆回線、或いは構内交換機（Ｐｒｉｖａｔｅ  Ｂｒａｎｃｈ  Ｅｘｃｈａｎｇｅ：以後、ＰＢＸと称す）に接続され、ファクシミリ通信と電話機による通話を自動的に切り換える通信端末装置に関する。
【背景技術】
【０００２】
昨今、アナログ公衆回線、或いはＰＢＸに接続され、ファクシミリ通信が可能な通信端末装置においては、装置本体に電話機の接続を可能とし、更に着信時に通話目的か、ファクシミリ通信目的かを自動的に識別することによって、１本の回線を電話機による通話とファクシミリ通信とで共用利用が可能なものが広く普及している。
【０００３】
通話目的か、ファクシミリ通信目的かの識別方法としては、一般的に、送信側装置より送信され、１１００Ｈｚで、０．５秒ＯＮ、３秒ＯＦＦが周期的に繰り返されるＣＮＧ信号（国際電気通信連合ＩＴＵ−Ｔ勧告で規定されているＣａｌｌｉｎｇ  Ｔｏｎｅ）を検出したならば、ファクシミリ通信へ移行し、検出しない場合は装置内部のリンガー或いは電話機のリンガーを鳴動させ、ユーザーに通話を促すようになっている。
【０００４】
更に特許文献１では、
（ａ）着信時のＣＮＧ信号の監視期間に、発呼側に対して擬似的なリングバックトーンである擬似呼出信号（以後、擬似リングバックトーンと称す）を送出し、ＣＮＧ信号成分を検出した場合には擬似リングバックトーンの送出を停止する、
（ｂ）ＣＮＧ信号成分を検出して擬似リングバックトーンの送出を停止した後、所定の期間内にＣＮＧ信号を検出しないときには、擬似リングバックトーンの送出を再開する、
（ｃ）擬似リングバックトーンの停止期間を設定可能とする、
（ｄ）ＣＮＧ信号成分の検出条件を設定可能とする、
ことにより、ＣＮＧ信号の誤認定防止や、電話をかけた相手側の不信感を軽減する技術が公開されている。
【０００５】
【特許文献１】特開２００２−２８１２６５号公報（段落００３１〜００４３、図２）
【発明の開示】
【発明が解決しようとする課題】
【０００６】
前記した従来の通信端末装置にあっては、ＣＮＧ信号成分を検出すると擬似リングバックトーンの送出を停止し、所定の期間内にＣＮＧ信号を検出しないときには、擬似リングバックトーンの送出を再開するので、擬似リングバックトーンの送出周期が一定でなくなり、電話をかけた相手側に違和感を与えることになり、不信感を払拭しきれないという問題点がある。
【０００７】
また、送信側装置がＣＮＧ信号を送信開始するタイミングと着信側装置が擬似リングバックトーンを送信開始するタイミングは非同期であるので、最悪の場合には、擬似リングバックトーン送信開始からしばらくの間、ＣＮＧ信号を検出できないことになる。この場合、被呼側の回線の直流ループ閉結後から、発呼側には回線使用料金が課金されるのでＣＮＧ信号を検定している期間も課金され、ＣＮＧ信号検出までの時間がかかればかかるほど発呼側にとっては不経済となる。
【０００８】
本願の目的は、ＣＮＧ信号の検出を速やかに実行することによって、これらの問題点を解消し、使用の際の不快感を解消し、経済的にも有効な通信端末装置を提供することにある。
【課題を解決するための手段】
【０００９】
本発明による通信端末装置は、１本の電話回線に接続され、装置本体に電話機の接続を可能として前記電話機による通話とファクシミリ通信を選択的に切り換える通信端末装置において、
着信のときに発呼側に送信され、周期的に繰り返される擬似リングバックトーンを生成する擬似リングバックトーン生成手段と、着信のときに鳴動させる擬似リングを生成する擬似リング生成手段と、ファクシミリ通信であることを示すＣＮＧ信号を検出するトーン検出手段と、少なくとも前記擬似リングバックトーン生成手段及び前記擬似リング生成手段の動作を制御する制御手段とを有し、
国毎のリングバックトーンの周期情報を有し、装置本体が設置される国の前記リングバックトーンの周期が所定の条件である場合には、前記擬似リングバックトーンの周期を所定の周期に設定して送信することを特徴とする。
【発明の効果】
【００１０】
本発明の通信端末装置によれば、装置本体が設置される国のリングバックトーンのＯＮ／ＯＦＦパターンによって変化する、着信からＣＮＧ信号検出までにかかる最長時間を、所定の範囲までに短縮することが可能となる。
【発明を実施するための最良の形態】
【００１１】
実施の形態１．
図１は、本発明による実施の形態１の通信端末装置の要部構成を示すブロック図である。
【００１２】
同図において、通信端末装置１は、ＣＰＵをコアとし、装置全体を制御する主制御部２、主制御部２が読み出して実行する各種プログラムや、データテーブルを格納するための読み書き可能な不揮発性メモリ（以下、ＮＶメモリと称す）３、主制御部２が取り扱う制御データを記憶する揮発性メモリ（以下、ＲＡＭと称す）４、操作者が各種指示入力を行うための操作手段及び表示手段と有する操作・表示部５、原稿の画像を読取るスキャナー部６、媒体に画像を印刷するプリンタ部７、データの変調／復調とＣＮＧ信号を含む各種トーン信号の出力を行うモデム８、画像データを記憶するための画像メモリ９、及び画像データを符号化／復号化する符号化・復号化部１０を有し、これらはバスで繋がっている。
【００１３】
更に、通信端末装置１は、主制御部２が行う処理の時間を計時するためのタイマー１１、回線１２からの呼び出し信号（リング信号）を検出するリング検出部１３、接続部（図示せず）を介して接続された電話機１４のオンフック／オフフックを検出するフック検出部１５、擬似リング信号を生成する擬似リング生成部１６、スピーカ１７、ＣＮＧ信号を含む各種トーンを検出するトーン検出部１８、擬似リングバックトーンを生成する擬似ＲＢＴ生成部１９、回線１２の接続を切り換える回線切換部２０、及び発呼部２１からなる。
【００１４】
待機状態において回線１２は、回線切換部２０の接点２０ｂ側に接続されている。擬似リング生成部１６及び擬似ＲＢＴ生成部１９には、それぞれ、出力する信号のＯＮ時間、ＯＦＦ時間を設定するためのタイマー回路が内蔵され、起動がかかると、ＯＮ状態、ＯＦＦ状態を所定の周期で交互に繰り返す擬似リングバックトーン信号及び擬似リングトーン信号を出力する。
【００１５】
以上の構成の通信端末装置において、ファクシミリ送信、受信時の処理について概説する。
【００１６】
まず、ファクシミリ送信時は、操作者によって、送信すべき原稿がスキャナー部６にセットされ、操作・表示部５より相手先のファクシミリ装置の電話番号が入力されると、主制御部２は、回線切換部２０に指示して回線１２の接続を接点２０ａ側に切り換え、発呼部２１に発呼を指示して回線１２を経由して図示しない交換機に呼接続を要求し、モデム８にＣＮＧ信号の出力を指示する。
【００１７】
スキャナー部６で読み取られた画像データは、画像メモリ９に一旦格納された後、符号化・復号化部１０でＭＨ（Ｍｏｄｉｆｉｅｄ−Ｈｕｆｆｍａｎ）、ＭＲ（Ｍｏｄｉｆｉｅｄ−Ｒｅａｄ）、ＭＭＲ（Ｍｏｄｉｆｉｅｄ−Ｍｏｄｉｆｉｅｄ−Ｒｅａｄ）等の符号化方式で符号化されて、モデム８でＩＴＵ−Ｔ勧告Ｖ．３４、Ｖ．１７、Ｖ．２９、等に則って変調され、回線１２を経由して図示しない受信側のファクシミリ装置に送信される。
【００１８】
一方、ファクシミリ受信時は、交換機より到来する呼び出し信号（リング信号）が回線１２を経由してリング検出部１３に入力される。リング検出部１３は、リング信号を検出すると主制御部２にその旨報告する。主制御部２は、リング検出に対応して回線切換部２０に指示して回線１２を接点２０ａ側に切り換え、直流ループを閉結して呼接続を確立した後、擬似ＲＢＴ生成部１９に指示して擬似リングバックトーンを、回線１２を経由して発呼側に送信すると共に、擬似リング生成部１６に指示して擬似リング信号を生成させて電話機１４のリンガーを鳴動させ、或いは／同時に、スピーカ１７にてリング音を鳴動させる。
【００１９】
所定の時間内にトーン検出部１８によってＣＮＧ信号が検出されると、主制御部２は、擬似リングバックトーンの送信と擬似リング信号の生成を停止させ、モデム８に指示してファクシミリ受信を開始する。送信側のファクシミリ装置から送られてくる変調された画像信号はモデム８で復調され、画像メモリ９に一旦格納された後、符号化・復号化部１０で復号化され、プリンタ部７で媒体上に印刷される。尚、擬似リングバックトーンの送信、擬似リング鳴動中に電話機１４のフックが上げられたことがフック検出部１５によって検出された場合には、主制御部２は、擬似リングバックトーンの送信と擬似リング信号の生成を停止させ、回線切換部２０に指示して回線１２を接点２０ｂ側に切り換え、電話機による通話を可能とするようになっている。
【００２０】
ここで、上記した構成の通信端末装置の詳細な動作説明を記述する前に、擬似リングバックトーンとＣＮＧ信号の関係、及びＣＮＧ信号の検出における注意点について考察する。リングバックトーンは、被呼側を呼び出し中である旨を知らせるために交換機が発呼側に対して送出するトーンであり、擬似リングバックトーンは、被呼側の通信端末装置が呼に応答して回線の直流ループを閉結した後に、交換機に代わって擬似的に送信するトーンである。
【００２１】
図８は、発明者等が主要な国や地域におけるリングバックトーンの周期的に繰り返されるＯＮ、ＯＦＦ時間及び周期の規定について調査した結果である。グループ１の０．４秒ＯＮ→０．２秒ＯＦＦ→０．４秒ＯＮ→２秒ＯＦＦと推移する信号は、ここでは１秒ＯＮ→２秒ＯＦＦと推移する周期が３秒の信号とみなすことができる。同様にグループ２の信号は、１秒ＯＮ→３秒ＯＦＦと推移する周期が４秒の信号とみなすことができるので、リングバックトーンは、何れの国や地域においても特定の周期を有する特徴があることがわかった。
【００２２】
一方図９は、ＯＮ、ＯＦＦ時間が異なる１２種類の擬似リングバックトーン信号（１）〜（１２）と、想定される７つの受信タイミング（１）〜（７）で受信されるＣＮＧ信号とが、任意に組み合わさった場合に起こりうる、ＣＮＧ信号の検出タイミングを説明するためのタイミングチャートである。尚、各信号の網掛け部は、信号がＯＮ状態であることを示している
【００２３】
送信側装置がＣＮＧ信号を送信開始するタイミングと着信側装置が擬似リングバックトーンを送信開始するタイミングは非同期であるので、各擬似リングバックトーンに対するＣＮＧ信号のＯＮの発生タイミングは、例えば図９にＣＮＧ受信タイミング（１）〜（７）で示すようにずれる可能性がある。一方、着信側装置の擬似ＲＢＴ生成部１９（図１）から送信される擬似リングバックトーンは、同装置のトーン検出部１８にも回り込むため、両信号のＯＮ発生が衝突した場合、即ち図９において両信号の網掛け部が時間的に重なっている場合にはＣＮＧ信号を検出できない。
【００２４】
従って、例えば日本を含むグループ７（図８参照）の場合、擬似リングバックトーンをリングバックトーンの規定に合わせて１秒ＯＮ→２秒ＯＦＦの周期３秒（擬似リングバックトーン信号（３）に相当する）で送信すると、最悪の場合、即ちＣＮＧ受信タイミング（７）のＣＮＧ信号を受信している場合には、擬似リングバックトーン送信開始から１０．５秒後まで、ＣＮＧ信号を検出できないことになる。
【００２５】
尚、図９の時間枠の中に記された数字は、その時間枠で検出可能なＣＮＧ信号の受信タイミング番号であり、且つ同じ受信タイミングのＣＮＧ信号で最初に検出される時のみを記している。従って、上記したグループ７（擬似リングバックトーン信号（３）に相当する）の擬似リングバックトーンで、ＣＮＧ受信タイミング（７）のＣＮＧ信号を受信する場合、ＣＮＧ信号の監視が開始されてから１０．５秒経過した時点で初めてＣＮＧ信号が確認されるため、その時間枠に受信タイミング番号（７）が記されている。更に図９では、このケースのように、各擬似リングバックトーンにおいて、検出されるタイミングが最も遅い受信タイミングのＣＮＧ信号であった場合には、その受信タイミング番号を丸で囲っている。
【００２６】
従って、グループ２２（エジプト：擬似リングバックトーン信号（１０）に相当する）の擬似リングバックトーンでは、最悪の場合（ＣＮＧ受信タイミング（７）のＣＮＧ信号を受信している場合）ＣＮＧ信号を検出するまでに１７．５秒もかかることがわかる。一般に、被呼側の回線の直流ループ閉結後から、発呼側には回線使用料金が課金されるのでＣＮＧ信号を検定している期間も課金され、ＣＮＧ信号検出までの時間がかかればかかるほど発呼側にとっては不経済である。
【００２７】
また、被呼側では、ＣＮＧ信号を検出するまでは装置内部のリンガー、或いは電話機のリンガーを鳴動させ、ユーザーに通話を促すようになっているので、ファクシミリ通信目的の着信であるにもかかわらず、ＣＮＧ信号検出までの時間がかかればかかるほどユーザーが受話器を上げてしまう確率が高くなる。ユーザーは受話器よりＣＮＧ信号が聞こえることによって、ファクシミリ送信目的であることを認識して手動で受信モードに切り換えることになるので、ＣＮＧ信号検出までの時間が長くなると被呼側のユーザーにとっても煩わしい結果を招くことになる。
【００２８】
以後、上記問題点を踏まえた本実施の形態の動作について説明する。
【００２９】
図２は、図１に示す本実施の形態１の通信端末装置による着信切り換え処理の流れを示すフローチャートであり、プログラムとしてＮＶメモリ３に格納され、主制御部２が読み出して実行するものである。図１を参照しながら、このフローチャートに基づいて先ず通信端末装置による着信切り換え処理動作について説明する。尚、装置の設置時に、ユーザー又は保守員によって設置国情報が操作・表示部５より設定され、ＮＶメモリ３に保持されているものとする。
【００３０】
回線１２が回線切換部２０の接点２０ｂ側に接続されている待機中に回線１２からのリング信号を監視し（ステップＳ１）、リング検出部１３がリング信号を検出すると（ステップＳ１、ＹＥＳ）、主制御部２は、回線切換部２０を制御して回線１２を接点２０ａ側、即ちモデム８側に接続し（ステップＳ２）、ＣＮＧ監視の継続時間Ｔ１を計時するためタイマー１１を利用して計時を開始する（ステップＳ３）。次のステップ４では、擬似リングバックトーンのＯＮ／ＯＦＦ時間を擬似リングバックトーン生成部１９に設定し、起動する。このステップ４の擬似リングバックトーンのＯＮ／ＯＦＦ時間設定及び起動処理について、図３のフローチャートに基づいて更に説明する。
【００３１】
先ず、装置の設置国情報をＮＶメモリ３より読み出し（ステップＳ１０１）、設置国情報を基に設置国に対応したリングバックトーンのＯＦＦ時間情報をＮＶメモリ３内のリングバックトーン情報テーブルをサーチして読み出す（ステップＳ１０２）。尚、リングバックトーン情報テーブルには、図８に示す、グループ毎のリングバックトーンのＯＮ／ＯＦＦ時間と、そのＯＮ／ＯＦＦ時間を採用する国／地域名情報が、対応して予め装置製造時に格納されている。
【００３２】
読み出したＯＦＦ時間情報が３．５秒以上であれば（ステップＳ１０３、ＹＥＳ）、読み出したＯＦＦ時間情報を擬似ＲＢＴ生成部１９にセットし（ステップＳ１０４）、３．５秒未満であれば（ステップＳ１０３、ＮＯ）、ＯＦＦ時間情報として３．５秒を擬似ＲＢＴ生成部１９にセットする（ステップＳ１０５）。次に、設置国に対応したリングバックトーンのＯＮ時間情報をＮＶメモリ３内のリングバックトーン情報テーブルをサーチして読み出し（ステップＳ１０６）、読み出したＯＮ時間情報を擬似ＲＢＴ生成部１９にセットし（ステップＳ１０７）、擬似ＲＢＴ生成部１９を起動して擬似リングバックトーンの送信を開始し（ステップＳ１０８）、フローを終了する。
【００３３】
図２に戻り、ステップ５では、擬似リングのＯＮ／ＯＦＦ時間を擬似リング生成部１６に設定し、起動する。このステップ５の擬似リングのＯＮ／ＯＦＦ時間設定及び起動処理について、図４のフローチャートに基づいて更に説明する。
【００３４】
先ず、装置の設置国情報をＮＶメモリ３より読み出し（ステップＳ２０１）、設置国情報を基に設置国に対応したリングバックトーンのＯＦＦ時間情報をＮＶメモリ３内のリングバックトーン情報テーブルをサーチして読み出し（ステップＳ２０２）、読み出したＯＦＦ時間情報を擬似リング生成部１６にセットする（ステップＳ２０３）。次に、設置国に対応したリングバックトーンのＯＮ時間情報をＮＶメモリ３内のリングバックトーン情報テーブルをサーチして読み出し（ステップＳ２０４）、読み出したＯＮ時間情報を擬似リング生成部１６にセットし（ステップＳ２０５）、擬似リング生成部１６を起動して擬似リング信号の鳴動を開始し（ステップＳ２０６）、フローを終了する。
【００３５】
再び図２に戻り、ＣＮＧ信号の監視を開始する（ステップＳ６）。トーン検出部１８によりＣＮＧ信号が検出されると（ステップＳ６、ＹＥＳ）、擬似リングバックトーン生成部１９に指示して擬似リングバックトーンの送信を停止させると共に、擬似リング生成部１６に指示して擬似リング信号の鳴動を停止させ（ステップＳ７）、その後所定の手順でファクシミリ通信処理を行って（ステップＳ８）、フローを終了する。
【００３６】
一方、ステップＳ６でＣＮＧ信号が未検出と判断された場合は（ステップＳ６、ＮＯ）、電話機１４の受話器が上げられたか否かをチェックし（ステップＳ９）、フックアップされたと判断されたならば（ステップＳ９、ＹＥＳ）、擬似リングバックトーン生成部１９に指示して擬似リングバックトーンの送信を停止させると共に、擬似リング生成部１６に指示して擬似リング信号の鳴動を停止させ（ステップＳ１０）、その後、回線切換部２０を制御して回線１２を接点２０ｂ側、即ち電話機１４側に接続し（ステップＳ１１）、通話を可能とする（ステップＳ１２）。
【００３７】
通話の後、受話者による、例えば図示しない受信スタートボタン操作等によるファクシミリ通信の指示が入力されたか否かを監視し（ステップＳ１３）、指示が入力された場合には（ステップＳ１３、ＹＥＳ）、回線切換部２０を制御して回線１２をモデム８側（接点２０ａ側）に接続し（ステップＳ１４）、その後ステップＳ８に移行してファクシミリ通信を行う。一方通話の後、ファクシミリ通信の指示無く受話器が下ろされた（フックオン）場合には（ステップＳ１３、ＮＯ）、そのまま処理を終了する。
【００３８】
ステップＳ９でフックアップが検出されなかった場合には（ステップＳ９、ＮＯ）、タイマー１１をチェックしてＣＮＧ監視の継続時間Ｔ１がタイムアップしたか否かを確認する（ステップＳ１５）。タイムアップしていなければ（ステップＳ１５、ＮＯ）ステップＳ６へ戻り、ステップＳ６、ステップＳ９、及びステップＳ１５のループで、ＣＮＧ信号の監視、フックアップの監視、及びタイムアップの監視を続行する。
【００３９】
継続時間Ｔ１を経過した場合には（ステップＳ１５、ＹＥＳ）、ステップＳ７へ移行してファクシミリ通信処理を行う。Ｔ１経過後、ファクシミリ通信処理を行うのは、何らかの原因でＣＮＧ信号が検出できなかった場合や、ＣＮＧ信号を送信しないファクシミリ装置にも対応するためであるが、送信側ファクシミリ装置が、受信機側からのファクシミリ手順信号を待つ時間は、発呼後３５秒間と定められているので、Ｔ１は例えば長くとも２５秒程度に設定することが望ましい。
【００４０】
以上の信号処理による具体的な処理結果を、図５を参照しながら説明する。上記した本実施の形態による信号処理によれば、設置された国において規定されているリングバックトーンのＯＮ時間とＯＦＦ時間を参照し、ＯＮ時間は規定値のまま擬似リングバックトーンのＯＮ時間とし、ＯＦＦ時間はＣＮＧ信号の周期である３．５秒未満であれば擬似リングバックトーンのＯＦＦ時間を自動的に３．５秒にしている。
【００４１】
即ち、図５を参照して説明すると、例えばグループ６（図８参照）の場合、前記した考察では、ＣＮＧ信号検出までに最長の場合には１０秒かかると想定されたが、擬似リングバックトーンのＯＦＦ時間が１．０秒から３．５秒に自動的に変換されるため（擬似リングバックトーン送信タイミング６に相当）、最長でも４．５秒で検出が可能となり、最大５．５秒の短縮が可能となる。同様に、グループ１、７（図８参照）では、ＣＮＧ信号検出までに最長の場合には１０．５秒かかると想定されたが、擬似リングバックトーンのＯＦＦ時間が２．０秒から３．５秒に自動的に変換されるため、同じく最長でも４．５秒で検出が可能となり、最大６．０秒の短縮が可能となる。同様に、グループ２、８（図８参照）では、ＣＮＧ信号検出までに最長の場合には８秒かかると想定されたが、擬似リングバックトーンのＯＦＦ時間が３．０秒から３．５秒に自動的に変換されるため、同じく最長でも４．５秒で検出が可能となり、最大３．５秒の短縮が可能となる。
【００４２】
同様に、グループ１８（図８参照）では、ＣＮＧ信号検出までに最長の場合には８．５秒かかると想定されたが、擬似リングバックトーンのＯＦＦ時間が３．０秒から３．５秒に自動的に変換されるため（擬似リングバックトーン送信タイミング９に相当）、最長でも５．０秒で検出が可能となり、最大３．５秒の短縮が可能となり、更にグループ２２では、ＣＮＧ信号検出までに最長の場合には１７．５秒かかると想定されたが、擬似リングバックトーンのＯＦＦ時間が１．０秒から３．５秒に自動的に変換されるため（擬似リングバックトーン送信タイミング１１に相当）、最長でも５．５秒で検出が可能となり、最大１２．０秒の短縮が可能となる。
【００４３】
以上のように、本実施の形態の通信端末装置によれば、ファクシミリ通信目的の着呼時に、不要に長時間にわたりリンガーが鳴動することなく速やかに自動的にファクシミリ通信に移行するので、ユーザーの煩雑さを軽減できる。更に、ファクシミリ通信目的の発呼側に対しては、課金される回線使用料の負担が軽減できるとともに、通話目的の発呼者に対しては、擬似リングバックトーンが周期的に聞こえるので、違和感無く電話呼び出し中である旨を伝えることができる。
【００４４】
実施の形態２．
本発明による実施の形態２の通信端末装置が、前記した実施の形態１の通信端末装置と主に異なる点は、ユーザーによるＦＡＸ優先モードの設定を可能とし、ＦＡＸ優先モードがＯＮに設定されたならば、所定の時間、例えば、擬似リングバックトーンの最初の１周期の間、擬似リングの鳴動を抑制するようにしたものである。
【００４５】
従って、本実施の形態の通信端末装置の要部構成は、ＦＡＸ優先モードの設定を行なうための操作メニューが操作表示部５に設けられている点、各種プログラムを格納するためのＮＶメモリ３のプログラムの内容が一部異なる点、及び擬似リング生成部１６に、起動後、所定の期間、擬似リング信号生成を抑制するための図示しない擬似リング生成遅延回路が備えられている点、以外においては図１に示す実施の形態１の通信端末装置１の要部構成と共通するため、共通する部分には同符号を付して、或いは図面を省いて説明を省略し、異なる点を重点的に説明する。尚、必要に応じて図１を参照し、操作表示部、ＮＶメモリ、及び擬似リング生成部おいても、便宜上、同符号を付して説明する。
【００４６】
図６は、本実施の形態の通信端末装置の操作・表示部５の操作メニューから、ユーザーによって実行されるＦＡＸ優先モードのＯＮ／ＯＦＦ設定処理のフローチャートである。図１を参照しながら、このフローチャートに基づいてＦＡＸ優先モードのＯＮ／ＯＦＦ設定処理動作について説明する。尚、ＦＡＸ優先モードのＯＮ／ＯＦＦ設定とは、本実施の形態の通信端末装置が接続される回線を、ファクシミリ優先で使用するか、電話機優先で使用するかをユーザーが選択するものであって、任意のタイミングで設定できるものとする。
【００４７】
ユーザーが操作メニューから本設定を選択すると指示入力待ちとなり、ＦＡＸ優先が選択されたならば（ステップＳ３０１、ＹＥＳ）、ＮＶメモリ３中のＦＡＸ優先モードフラグをＯＮにセットし（ステップＳ３０２）、ＦＡＸ優先が選択されなかった（電話機優先）場合には（ステップＳ３０１、ＮＯ）、ＦＡＸ優先モードフラグをＯＦＦにセットし（ステップＳ３０３）、フローを終了する。尚、デフォルト（工場出荷時の初期値）は、ＦＡＸ優先モードフラグはＯＮである。
【００４８】
次に、本実施の形態の通信端末装置による着信切り換え処理について説明するが、本実施の形態の通信端末装置による着信切り換え処理は、一部を除いて前記した図２のフローチャートに基づいて説明した実施の形態１の通信端末装置よる着信切り換え処理と同じである。従って、動作内容が共通するステップについては説明を省略し、異なるステップであるステップＳ５の動作内容を重点的に以下に説明する。
【００４９】
図７は、本実施の形態の通信端末装置が、図２のフローチャートに基づいて処理を実行する際に、ステップＳ５において実行する擬似リングのＯＮ／ＯＦＦ時間設定及び起動処理のフローチャートである。ここで、ステップＳ４０１〜Ｓ４０５は、前記した実施の形態１で説明した図４のフローチャートのステップＳ２０１〜Ｓ２０５に対応してそれぞれ同じ処理を実行し、ステップＳ４０９は、図４のフローチャートのＳ２０６に対応して同じ処理を実行する。
【００５０】
従って、ステップＳ４０１〜Ｓ４０５において、擬似リングの所定のＯＮ、ＯＦＦ時間を擬似リング生成部１６にセットした後、ＦＡＸ優先モードフラグを読み出す（ステップＳ４０６）。ここでフラグがＯＮ、即ちＦＡＸ優先モードである場合には（ステップＳ４０６、ＹＥＳ）、擬似リング生成部１６内部の擬似リング生成遅延回路をＯＮに設定し（ステップＳ４０７）、ステップＳ４０９進み、フラグがＯＦＦでＦＡＸ優先モードでないと判断した場合には（ステップＳ４０６、ＮＯ）、擬似リング生成遅延回路をＯＦＦに設定し（ステップＳ４０８）、ステップＳ４０９へ進む。
【００５１】
擬似リング生成遅延回路には予め所定の遅延時間が設定されており、ＯＮに設定されると、ステップＳ４０９で擬似リング生成部に起動がかかった後、所定の時間だけ擬似リングの生成を抑制する働きをする。
【００５２】
以上のように、本実施の形態の通信端末装置によれば、ＦＡＸ優先モードが選択可能であり、ＦＡＸ優先モード時には、着信後、所定の期間擬似リングを鳴動しないようにすることができる。従ってＦＡＸ優先モード時には、この無鳴動期間中にＣＮＧ信号を検出する可能性が高いので、ユーザーが擬似リンガー音を聞くことなく自動受信することになり、ファクシミリ通信を頻繁に使用するユーザーにとって、不要な鳴動に煩わされることなく利便性がより向上する。
【図面の簡単な説明】
【００５３】
【図１】本発明による実施の形態１の通信端末装置の要部構成を示すブロック図である。
【図２】図１に示す本実施の形態１の通信端末装置による着信切り換え処理の流れを示すフローチャートである。
【図３】図２のフローチャートのステップＳ４の処理の流れを示すフローチャートである。
【図４】図２のフローチャートのステップＳ５の処理の流れを示すフローチャートである。
【図５】実施の形態１におけるＣＮＧ信号の検出タイミングを説明するためのタイミングチャートである。
【図６】実施の形態２の通信端末装置において、ユーザーによって実行されるＦＡＸ優先モードのＯＮ／ＯＦＦ設定処理のフローチャートである。
【図７】実施の形態２の通信端末装置が、図１のフローチャートに基づいて処理を実行する際に、ステップＳ５において実行する処理のフローチャートである。
【図８】主要な国や地域におけるリングバックトーンのＯＮ、ＯＦＦ時間及び周期の規定について調査した結果一覧を示す図である。
【図９】擬似リングバックトーンとＣＮＧ信号の関係についての考察に供するタイミングチャートである。
【符号の説明】
【００５４】
１  通信端末装置、
２  主制御部、
３  ＮＶメモリ、
４  ＲＡＭ、
５  操作・表示部、
６  スキャナー部、
７  プリンタ部、
８  モデム、
９  画像メモリ、
１０  符号化・復号化部、
１１  タイマー、
１２  回線、
１３  リング検出部、
１４  電話機、
１５  フック検出部、
１６  擬似リング生成部、
１７  スピーカ、
１８  トーン検出部、
１９  擬似ＲＢＴ生成部、
２０  回線切換部、
２１  発呼部。
【図１】
2010093618.tif 000003
【図２】
2010093618.tif 000004
【図３】
2010093618.tif 000005
【図４】
2010093618.tif 000006
【図５】
2010093618.tif 000007
【図６】
2010093618.tif 000008
【図７】
2010093618.tif 000009
【図８】
2010093618.tif 000010
【図９】
2010093618.tif 000011